(57)【要約】【課題】密閉容器の容器本体に対して蓋を直線的な動きで着脱可能でありながら、蓋が容器本体の内圧で押されても外れないようにする。【解決手段】蓋３に組み込んだフック１３が容器本体１のフック受部３７から外れるロック解除動作によって、蓋３を直線移動で容器本体１から引き抜けるようにする。また、蓋３が、容器本体１内と大気間に亘る連通路４７を開閉する弁と、ロック解除動作を弁の開弁動作に変換する連動機構とを有する。フック１３は、フック受部３７に引っ掛かる状態で内圧が大気圧を超えて上昇すると、内圧に抵抗することによって姿勢変化を起こす。フック１３は、内圧が大気圧の状態でロック解除動作しても蓋３の静止段状部４９に引っ掛からない姿勢に保たれるが、内圧が大気圧を一定以上超えている状態でロック解除動作してもフック受部３７から外れる以前に静止段状部４９に引っ掛かる姿勢に保たれる【選択図】図１
2014097830.tif 000002
【特許請求の範囲】
【請求項１】
容器本体（１）と、この容器本体（１）の口部（２）を密封する蓋（３）とを備えている密閉容器において、
前記蓋（３）に組み込んだフック（１３）が前記容器本体（１）のフック受部（３７）から外れるロック解除動作によって、前記蓋（３）を直線移動で前記容器本体（１）から引き抜くことが可能になり、
前記フック（１３）が前記フック受部（３７）に引っ掛かる状態で前記容器本体（１）の内圧が大気圧を超えて上昇すると、当該フック（１３）が当該内圧に抵抗することによって姿勢変化を起こし、
前記容器本体（１）の内圧が大気圧の状態では、前記フック（１３）が、ロック解除動作しても前記蓋（３）の静止段状部（４９）に引っ掛からない姿勢に保たれ、前記容器本体（１）の内圧が大気圧を一定以上超えている状態では、前記フック（１３）が、ロック解除動作しても前記フック受部（３７）から外れる以前に前記静止段状部（４９）に引っ掛かる姿勢に保たれることを特徴とする密閉容器。
【請求項２】
前記フック（１３）が、前記フック受部（３７）に引っ掛かるフック部（３６）と、前記ロック解除動作のために与えられた操作力を前記フック部（３６）に伝える操作伝達部（３８）とを有し、前記フック部（３６）が、前記静止段状部（４９）に引っ掛かる係合端（４８）を有し、前記操作伝達部（３８）と前記フック部（３６）が、前記フック受部（３７）に対する当該操作伝達部（３８）の傾きを許す揺動軸（４２）と軸受部（４３）とで連結されている請求項１に記載の密閉容器。
【請求項３】
前記揺動軸（４２）と前記軸受部（４３）は、前記操作伝達部（３８）と前記フック部（３６）の相対的なスライドを許し、前記操作伝達部（３８）は、前記フック部（３６）と挟持する付勢ばね（４０）を有し、前記フック（１３）がロック解除動作するとき、前記容器本体（１）の内圧が大気圧の状態では、前記操作伝達部（３８）と前記フック部（３６）が前記付勢ばね（４０）の抵抗で連動し、前記容器本体（１）の内圧が大気圧を一定以上超えている状態では、前記操作伝達部（３８）が前記フック部（３６）に対してスライドすることによって前記付勢ばね（４０）が蓄勢し、前記操作伝達部（３８）に操作力が与えられなくなると、当該蓄勢力によって当該操作伝達部（３８）がスライド前の位置に復帰する請求項２に記載の密閉容器。
【請求項４】
前記蓋（３）が、前記容器本体（１）内と大気間に亘る連通路（４７）を開閉する弁と、前記静止段状部（４９）に引っ掛かっている前記フック部（３６）に対してスライドする前記操作伝達部（３８）の運動を前記弁の開弁動作に変換する連動機構とを有し、
前記弁が開いた前記連通路（４７）から前記容器本体（１）の内圧を逃し、前記操作伝達部（３８）に操作力を与え続けると大気圧まで減圧することができる請求項３に記載の密閉容器。
【請求項５】
前記フック部（３６）が前記フック受部（３７）に引っ掛かる状態で前記容器本体（１）の内圧上昇が大気圧を超えて進行すると、前記フック部（３６）を除いた蓋（３）部分が上昇することによって前記操作伝達部（３８）が傾き、前記静止段状部（４９）が前記係合端（４８）に接近する請求項２から４のいずれか１項に記載の密閉容器。
【請求項６】
前記フック部（３６）が前記フック受部（３７）に引っ掛かる状態で前記容器本体（１）の内圧上昇が大気圧を超えて進行すると、前記フック部（３６）を除いた蓋（３）部分の上端面（５２）と当該フック部（３６）が接触することによって前記内圧に押される当該蓋（３）部分の上昇が阻止され、当該フック部（３６）がロック解除動作する方向にずれることによって前記静止段状部（４９）が前記係合端（４８）に対向し、当該蓋（３）部分が上昇する請求項２から４のいずれか１項に記載の密閉容器。
【発明の詳細な説明】
【技術分野】
【０００１】
この発明は、密閉容器に関する。
【背景技術】
【０００２】
一般に、密閉容器は、容器本体と、この容器本体の口部を密封する蓋とを備えている。蓋は、容器本体への収容を容易にするため、着脱可能となっている。その着脱構造として、ねじが採用されている。蓋を付けたまま、容器本体内から内容物をカップ等に注ぐことができるようにするため、内容物を注ぐための流路が、蓋の中に通されている。この流路を閉じて密閉容器内の密閉性を高めるため、蓋に弁と、弁を開くための操作機構とが設けられている（例えば、特許文献１）。
【先行技術文献】
【特許文献】
【０００３】
【特許文献１】実開昭５８−１７９０７１号公報
【発明の概要】
【発明が解決しようとする課題】
【０００４】
ねじ式の蓋を採用すると、ねじ部の清掃性が良くない。また、何度も蓋を回して外す必要があるため、面倒であった。この問題は、蓋を直線的な動きで着脱可能な構造にすれば回避できる。
【０００５】
しかしながら、例えばポットのように、容器本体に熱い内容物を蓄える場合、大気と遮断されている容器本体の内圧が上昇する。蓋を直線的な動きで着脱可能な構造にする場合、蓋が内圧で押されても外れることがないようにすることが必要になる。
【０００６】
そこで、この発明が解決しようとする課題は、密閉容器の容器本体に対して蓋を直線的な動きで着脱可能でありながら、蓋が容器本体の内圧で押されても外れないようにすることである。
【課題を解決するための手段】
【０００７】
上記の課題を解決するため、本願発明者は、容器本体と、この容器本体の口部を密封する蓋とを備えている密閉容器において、前記蓋に組み込んだフックが前記容器本体のフック受部から外れるロック解除動作によって、前記蓋を直線移動で前記容器本体から引き抜くことが可能になる構造の採用を検討した。この蓋の着脱・ロック構造によれば、容器本体に対して蓋を直線的な動きで着脱可能でありながら、蓋が容器本体の内圧で押されても、ロック解除操作をしない限り蓋が容器本体から外れないようにすることができる。
【０００８】
ところが、試作を行うと、容器本体に熱い内容物を蓄えて時間が経過した後、蓋を外す際、フックがフック受部から抜けた直後、大気圧を上回る容器本体の内圧で蓋が急に押し出されたり、さらに、容器本体の内壁面に付着している内容物が減圧の吹き出し流に運ばれて飛び出したりする可能性が見い出された。内圧が高いということは、飛び出す内容物も熱いということであり、これを防止しないと、安全上、前述の構造を採用することは好ましくない。なお、従来のねじ式の場合を検討すると、蓋を回して螺合を解除するのに時間を要し、この間にねじ山と谷底の隙間から減圧が進行した後に蓋が外れるため、前述の可能性を見い出せなかった。なお、ポットのように熱い飲食物を内容物とする場合、その温度は、６５℃〜１００℃である。一般的な密閉性能からすると、６時間を越えると、内容物の温度が下がるので、内圧が問題になることはなく、この条件下で安全性を確保すれば、実用的である。
【０００９】
そこで、この発明は、前記蓋の着脱・ロック構造と共に、前記フックが前記フック受部に引っ掛かる状態で前記容器本体の内圧が大気圧を超えて上昇すると、当該フックが当該内圧に抵抗することによって姿勢変化を起こし、前記容器本体の内圧が大気圧の状態では、前記フックが、ロック解除動作しても前記蓋の静止段状部に引っ掛からない姿勢に保たれ、前記容器本体の内圧が大気圧を一定以上超えている状態では、前記フックが、ロック解除動作しても前記フック受部から外れる以前に前記静止段状部に引っ掛かる姿勢に保たれる構成の採用により、容器本体の内圧が大気圧を一定以上越えた危険な状態では、その内圧を利用した静止段状部とフックの引っ掛かりを可能とし、これにより、蓋の急な押し出しや内容物の飛び出しを防ぐことができるようにした。
【００１０】
具体的には、前記フックが、前記フック受部に引っ掛かるフック部と、前記ロック解除動作のために与えられた操作力を前記フック部に伝える操作伝達部とを有し、前記フック部が、前記静止段状部に引っ掛かる係合端を有し、前記操作伝達部と前記フック部が、前記フック受部に対する当該操作伝達部の傾きを許す揺動軸と軸受部とで連結されているとよい。この場合、内圧に抵抗するフックのうち、フック受部に引っ掛かるフック部の姿勢変化を避け、操作伝達部の傾きを利用して係合端と静止段状部の引っ掛かりを実現し、そのフック部のロック解除動作を静止段状部で直接に阻止することができる。
【００１１】
より好ましくは、前記揺動軸と前記軸受部は、前記操作伝達部と前記フック部の相対的なスライドを許し、前記操作伝達部は、前記フック部と挟持する付勢ばねを有し、前記フックがロック解除動作するとき、前記容器本体の内圧が大気圧の状態では、前記操作伝達部と前記フック部が前記付勢ばねの抵抗で連動し、前記容器本体の内圧が大気圧を一定以上超えている状態では、前記操作伝達部が前記フック部に対してスライドすることによって前記付勢ばねが蓄勢し、前記操作伝達部に操作力が与えられなくなると、当該蓄勢力によって当該操作伝達部がスライド前の位置に復帰するとよい。この場合、容器本体の内圧が大気圧を一定以上超えているためにフック部の係合端が静止段状部に引っ掛かったとき、操作伝達部だけがスライドするため、引っ掛かったままの強引なロック解除操作をスライドストロークで防ぎ、フックの傷みを防止することができる。また、使用者がロック解除操作を止めると、操作伝達部に操作力が与えられなくなるので、操作伝達部が付勢ばねの反発で自然とスライド前の位置に戻るため、次回のロック解除操作に支障はない。
【００１２】
さらに好ましくは、前記蓋が、前記容器本体内と大気間に亘る連通路を開閉する弁と、前記静止段状部に引っ掛かっている前記フック部に対してスライドする前記操作伝達部の運動を前記弁の開弁動作に変換する連動機構とを有し、前記弁が開いた前記連通路から前記容器本体の内圧を逃し、前記操作伝達部に操作力を与え続けると大気圧まで減圧することができるようにするとよい。この場合、操作伝達部のスライドを利用して弁を開き、容器本体内を大気圧まで減圧することができる。これにより、フックの姿勢変化が戻って前記係合端が静止段状部に引っ掛からない状態となるので、使用者が一旦ロック解除操作を止めると、操作伝達部が前記付勢ばねで復帰させられる。この後、使用者が再びロック解除操作を行えば、今度は係合端が静止段状部に引っ掛からないので、フック部がフック受部から外れ、蓋を引き抜くことが可能になる。
【００１３】
前述のように、操作伝達部の傾きを利用して係合端と静止段状部の引っ掛かりを実現する場合、フックを除いた蓋部分の上昇を利用することができる。
【００１４】
例えば、前記フック部が前記フック受部に引っ掛かる状態で前記容器本体の内圧上昇が大気圧を超えて進行すると、前記フック部を除いた蓋部分が上昇することによって前記操作伝達部が傾き、前記静止段状部が前記係合端に接近するようにしてもよい。この例は、蓋部分の上昇を利用して静止段状部をフック部の係合端に接近させるので、フック部の傾きを避け、フック受部への引っ掛かりを安定させたいときに好適である。
【００１５】
また、前記フック部が前記フック受部に引っ掛かる状態で前記容器本体の内圧上昇が大気圧を超えて進行すると、前記フック部を除いた蓋部分の上端面と当該フック部が接触することによって前記内圧に押される当該蓋部分の上昇が阻止され、当該フック部がロック解除動作する方向にずれることによって前記静止段状部が前記係合端に対向し、当該蓋部分が上昇するようにしてもよい。この例は、容器本体の内圧上昇によって蓋が容器本体から浮き上がることを蓋部分の上端面とフック部の接触で阻止することができる。このため、内圧上昇が生じても密閉容器の見栄えが悪化しない。内圧が大気圧を一定以上超えているとき、当該阻止状態にあるので、ロック解除動作を利用して当該上端面とフック部の接触を外し、蓋部分の上昇を許して静止段状部と係合端の引っ掛かりを実現することができる。
【発明の効果】
【００１６】
上述のように、この発明は、上記構成の採用により、密閉容器の容器本体に対して蓋を直線的な動きで着脱可能でありながら、フックとフック受部で蓋が容器本体の内圧で外れないようにすることができ、このようにしても、内圧が高い危険な状態では蓋のロック解除を阻止し、急な蓋の押し出しや内容物の飛び出しを防ぐことができる。
【図面の簡単な説明】
【００１７】
【図１】（ａ）は、この発明の第１実施形態に係る密閉容器の容器本体の内圧が大気圧を一定以上越えている状態のフックを示す作用図、（ｂ）は、前記（ａ）の状態でフックのロック解除動作と弁の開弁動作の連動を示す作用図、（ｃ）は、前記（ｂ）の状態から容器本体の内圧が大気圧になった状態を示す作用図
【図２】図１の密閉容器の全体構成を容器本体の内圧が大気圧の状態で示す縦断側面図
【図３】図２と同じ状態の縦断正面図
【図４】図１の密閉容器の分解斜視図
【図５】図２の蓋の分解斜視図
【図６】図２の栓ユニットの分解斜視図
【図７】（ａ）は図２のときのラック部とピニオンの関係を示す平面図、（ｂ）は図１（ｂ）のときのラック部とピニオンの関係を示す平面図
【図８】（ａ）は、図１の密閉容器の容器本体の内圧が大気圧の状態でフックのロック中を示す作用図、（ｂ）は、前記（ａ）からフックがフック受部から外れた状態を示す作用図
【図９】（ａ）は、この発明の第２実施形態に係る密閉容器の容器本体の内圧が大気圧を一定以上越えている状態のフックを示す作用図、（ｂ）は、前記（ａ）の状態からフックのロック解除動作が進行した様子を示す作用図
【発明を実施するための形態】
【００１８】
以下、この発明の第１実施形態に係る密閉容器を添付図面に基いて説明する。図２、図３に示すように、この密閉容器は、容器本体１と、この容器本体１の口部２を密封する蓋３とを備えている。
【００１９】
容器本体１は、少なくとも内容物を入れる容器を含み、密閉容器の蓋を除いた部分のことをいう。例えば、容器本体１として、図示のようなポットの他、マグボトル、ランチボックスの汁容器等が挙げられる。容器本体１は、図２〜図４に示すように、内容物の給水口となる口部２をもった断熱容器４と、断熱容器４の肩部に被さる肩カバー部材５とをもっている。断熱容器４として、例えば、ステンレス製の真空二重容器、魔法瓶等を用いることができる。断熱容器４に代えて、真空層、断熱部材等の断熱手段をもたない剛性容器を採用してもよい。肩カバー部材５は、内容物の注ぎ口６と、ハンドル７とをもっている。
【００２０】
蓋３は、図２、図４、図５に示すように、直線移動で口部２から断熱容器４に対して抜き差しされる栓ユニット８と、栓ユニット８に被さるトップカバー９とを組み合わせた構造になっている。直線移動方向を図中に一点鎖線で描いた。一点鎖線は、断熱容器４の断面円形状の内周面と同一軸線上にある。栓ユニット８は、図２、図３、図５に示すように、断熱容器４の内周に密着する栓パッキン１０と、断熱容器４内から注ぎ口６まで連通する流路１１と、流路１１を開閉する弁と、内容物を注ぐときに使う操作レバー１２と、フック１３、１３と、ピニオン１４と、フック復帰ばね１５、１５と、レバー復帰ばね１６とをもっている。
【００２１】
前記弁は、図２、図３、図６に示すように、弁軸１７と、弁軸１７を軸方向に案内する弁軸ガイド１８と、弁体１９と、弁座２０と、弁ばね２１と、弁軸ばね２２と、弁ばね押さえ２３、弁軸ばね押さえ２４とからなる。弁軸ガイド１８、弁座２０、流路１１は、一体の下筒部材２５に形成されている。弁ばね押さえ２３と、下筒部材２５の上面との間に弁ばね２１が介在している。下筒部材２５の下面と弁体１９との間に弁軸ばね押さえ２４と、弁軸ばね２２が介在している。弁ばね２１、弁軸ばね２２が自然長のとき、弁軸１７は待ち受け位置にあり、弁体１９が弁座２０に密着し、前記弁は閉じた状態になっている。使用者が操作レバー１２のハンドル７側を押すと、傾いた操作レバー１２で弁軸１７の頭部を押すことができる。これにより、頭部を押された弁軸１７が軸方向に下降する。この下降中、弁軸１７に係止している弁ばね押さえ２３が一緒に下降し、弁ばね２１を圧縮し、また、弁軸１７に係止している弁軸ばね押さえ２４、これに押された弁軸ばね２２、弁体１９も一緒に下降する。弁体１９が下降すると弁座２０から浮き、前記弁が開いた状態になる。使用者が操作レバー１２を離すと、レバー復帰ばね１６によって操作レバー１２が待ち受け位置に戻り、弁軸１７が弁ばね押さえ２３から弁ばね２１の弾性回復力を受けて上昇し、待ち受け位置に復帰し、これにより、前記弁が閉じた状態になる。
【００２２】
図２、図５、図６に示すように、操作レバー１２の揺動軸を支持する軸受部２６、フック１３を弁軸ガイド１８と直角な進退方向に案内するフックガイド部２７、フック１３と共にフック復帰ばね１５、１５を保持するばね受部２８、ピニオン１４の旋回支持部２９は、一体の栓カバー部材３０の上面に形成されている。
【００２３】
図５に示すように、フック１３は、プッシュ面３１と、ラック部３２とをもっている。図６に示す栓カバー部材３０と下筒部材２５を図５に示すように係合し、さらに栓カバー部材３０にトップカバー９を被せてねじ止めすると、図２〜図４に示すように、フック１３等が組み込まれた蓋３になる。図３、図４に示すように、トップカバー９の上面には、フック１３のプッシュ面３１を押すロック解除操作を実施するための凹み孔３３が形成されている。
【００２４】
図３、図４に示すように、肩カバー部材５は、トップカバー９の後方突出部３４が嵌る切欠き部３５と、フック１３のフック部３６が前記直線方向に引っ掛かるフック受部３７とをもっている。
【００２５】
図３、図５に示すように、フック１３は、前述のフック部３６と、ロック解除動作のためにプッシュ面３１に与えられた操作力をフック部３６に伝える操作伝達部３８とを有する。操作伝達部３８は、プッシュ面３１及びラック部３２をもった操作部材３９と、フック部３６と進退方向に挟持する付勢ばね４０と、操作伝達部３８を下から支持する支持ばね４１とで構成されている。操作伝達部３８とフック部３６は、揺動軸４２と軸受部４３とで連結されている。
【００２６】
操作部材３９は、フック復帰ばね１５を保持するばね受部４４を有する。フック復帰ばね１５は、コイルばねになっている。付勢ばね４０は、コイルばねの軸線方向を進退方向に向け、ばね一端部をフック部３６のばね保持部に嵌合し、ばね他端部を操作部材３９のばね保持部に嵌合することによって挟持されている。支持ばね４１は、板ばねの両側を操作部材３９の挿入部に差し込み、この際、操作部材３９の鉤状部に支持ばね４１の孔が嵌ることで操作部材３９に保持されている。
【００２７】
揺動軸４２は、進退方向に直角な方向に沿った向きになっている。軸受部４３は、短軸長さが概ね丸軸状の揺動軸４２の外径に相当し、長軸が進退方向に沿った長孔状になっている。このため、揺動軸４２と軸受部４３は、フック受部３７及びフック部３６に対する操作伝達部３８の傾きを許し、また、操作伝達部３８とフック部３６の相対的な進退方向のスライドを許す。
【００２８】
蓋３の直線方向回りの向きを後方突出部３４と切欠き部３５とが合う方向にして、蓋３の栓ユニット８側を口部２から前記直線方向に差し込むと、トップカバー９が肩カバー部材５に載る前に、フック部３６のテーパ状の滑り面４５がフック受部３７に当たり、この際の進退方向の分力で付勢ばね４０、フック復帰ばね１５が圧縮される。さらに差し込みが進んで、フック部３６がフック受部３７よりも低くなると、付勢ばね４０、フック復帰ばね１５の弾性回復によってフック１３が進出し、フック部３６がフック受部３７の下方に位置する。これにより、フック部３６とフック受部３７とによって蓋３が容器本体１にロックされた状態になる。この差し込みの間、図７（ａ）、（ｂ）に示すように、ラック部３２、３２とピニオン１４によって両フック１３、１３の同期した進退運動が成される。
【００２９】
図３に示すように蓋３が容器本体１にロックされた状態で、図２に示すように流路１１の出口路４６が注ぎ口６と一連になっている。すなわち、流路１１と注ぎ口６が連なることにより、容器本体１内と大気間に亘る全長の連通路４７が形成されている。操作レバー１２を押さない限り、前記弁は流路１１の入り口で連通路４７を閉じている。連通路４７は、操作レバー１２を押して前記弁を開いた状態のまま、この密閉容器全体を注ぎ口６の方へ傾けて容器本体１内から内容物をカップ等の外部へ注ぐための流路になる。
【００３０】
図８（ａ）に拡大して示すように、容器本体１の内圧（断熱容器４内の圧力）が大気圧の状態、かつフック部３６がフック受部３７の下方に位置し、フック受部３７に引っ掛かるロック状態では、フック部３６が図５に示す揺動軸４２、軸受部４３及び付勢ばね４０で操作伝達部３８に対して傾かないように支持され、図８（ａ）、（ｂ）に矢線Ｆで示すように、使用者がプッシュ面３１を押すロック解除操作を行っても、フック１３の最低所部である係合端４８が、支持ばね４１及びフック復帰ばね１５により、フックガイド部２７に対して所定の高さを下回らないように支持される。プッシュ面３１から操作伝達部３８に与えられた操作力は、フック復帰ばね１５を圧縮し、付勢ばね４０を介してフック部３６に伝わる。付勢ばね４０はあまり圧縮されず、操作伝達部３８とフック部３６が付勢ばね４０の抵抗で連動し、図８（ｂ）に示すようにフック部３６がフック受部３７から外れるまでフック部３６が後退する。これにより、蓋３を前記直線方向に沿った直線移動で容器本体１から引き抜くことが可能になる。このようにフック１３がロック解除動作しても、フック１３は、支持ばね４１、フック復帰ばね１５によってフックガイド部２７から所定の高さを下回らないように支持されるので、蓋３の静止段状部４９に引っ掛からない姿勢に保たれる。なお、このロック解除動作の間も両フック１３、１３の同期運動が成されることは勿論である。
【００３１】
一方、フック部３６がフック受部３７の下方に位置し、フック受部３７に引っ掛かるロック状態で、容器本体１の内圧が大気圧を超えて上昇すると、図１（ａ）に拡大して示すように、フック１３が、当該内圧に抵抗することによって姿勢変化を起こす。すなわち、フック受部３７に引っ掛かるフック１３を除いた蓋３部分の上昇が起こる。この蓋３部分の上昇によって、操作伝達部３８と蓋３部分間に介在するフック復帰ばね１５が操作部材３９と反対側で持ち上げられ、支持ばね４１が下側へ圧縮されるので、揺動軸４２が軸受部４３に対して少し滑り、操作伝達部３８がフック受部３７に対して傾く。このように操作伝達部３８が傾いても、フック部３６は、フック受部３７に面接触しているので、殆ど傾かない。この蓋３部分の上昇と操作伝達部３８の傾きは、内圧上昇に伴って大きくなり、内圧減少に伴って小さくなる。また、蓋３部分の上昇によって、静止段状部４９が係合端４８に接近する。容器本体の内圧が大気圧を一定以上超えている状態では、係合端４８が静止段状部４９と進退方向に対向するまで、蓋３部分の上昇、操作伝達部３８の傾きが進行する。容器本体１の内圧が下降しない限り、蓋３部分の下降は起こらず、支持ばね４１やフック復帰ばね１５が弾性回復することはできない。したがって、容器本体１の内圧が大気圧を一定以上超えている状態では、フック１３がロック解除動作しても、フック部３６がフック受部３７から外れる以前に、フック部３６の係合端４８が静止段状部４９に進退方向に引っ掛かる。このように、この密閉容器は、内圧に抵抗するフック１３のうち、フック受部３７に引っ掛かるフック部３６の姿勢変化を避け、操作伝達部３８の傾きを利用して係合端４８と静止段状部４９の引っ掛かりを実現し、そのフック部３６のロック解除動作を静止段状部４９で直接に阻止することができる。
【００３２】
図１（ａ）の状態から使用者がロック解除操作を行うと、フック部３６の係合端４８が静止段状部４９に引っ掛かり、揺動軸４２が軸受部４３を進退方向に滑り、操作伝達部３８がフック部３６に対して進退方向にスライドする。このスライド中、操作伝達部３８は、停止しているフック部３６に向って付勢ばね４０を圧縮する。このため、付勢ばね４０が蓄勢する。したがって、操作伝達部３８に操作力が与えられなくなると、当該蓄勢力によって操作伝達部３８がスライド前の図１（ａ）の位置に復帰する。このように、この密閉容器は、係合端４８が静止段状部４９に引っ掛かったとき、操作伝達部３８だけがスライドするため、引っ掛かったままの強引なロック解除操作をスライドストロークで防ぎ、フック１３の傷みを防止することができる。また、使用者がロック解除操作を止めると、操作伝達部３８が自然とスライド前の位置に戻るため、次回のロック解除操作に支障はない。
【００３３】
操作伝達部３８がスライドしても、容器本体１の内圧が大気圧を一定以上超えている状態では、支持ばね４１やフック復帰ばね１５が弾性回復することはできず、軸受部４３が揺動軸４２を下側から支持するため、図１（ｂ）に示すように操作伝達部３８の傾きは小さくなるが、フック１３としては、依然、フック部３６の係合端４８が静止段状部４９に進退方向に引っ掛かる姿勢に保たれる。
【００３４】
蓋３は、図１（ａ）、（ｂ）に示すように、前記ロック解除動作を前記弁の開弁動作に変換する連動機構を有する。この連動機構は、操作レバー１２と、フック１３とからなり、静止段状部４９に引っ掛かっているフック部３６に対してスライドする操作伝達部３８の運動を前記弁の開弁動作に変換する。スライドする操作伝達部３８の角部５０が、操作レバー１２のテーパ状の当り面５１に接触して下向きの分力が発生する。この分力が操作レバー１２を軸方向に押し下げ、操作レバー１２を介して弁軸１７に伝わった分力が弁ばね２１を圧縮し、これに伴って弁軸１７が軸方向に下降し、弁体１９が弁座２０から浮いて前記弁が開く。前記弁が開くと、図２の連通路４７から容器本体１の内圧を逃すことができる。なお、弁体１９に作用する断熱容器４の内圧が弁軸ばね２２の弾性力よりも強い場合、弁軸１７のみが下降し、弁体１９と弁軸１７間に生じた隙間から内圧が抜け、弁体１９に作用する内圧が弁軸ばね２２の弾性力よりも弱くなってくると、弁体１９が下降し、弁体１９と弁座２０間に生じた隙間からも内圧が抜ける。
【００３５】
図１（ａ）に示すように、蓋３がロックされ、前記弁が閉じているとき、角部５０は、当り面５１の直近に待機している。この待機時、角部５０と当り面５１間の進退方向の距離は、フック受部３７とフック部３６の進退方向の掛かり代よりも明らかに小さい。使用者がプッシュ面３１を押してロック解除操作を開始すると、角部５０が速やかに操作レバー１２を押し始める。図１（ｂ）に示すように操作伝達部３８を限界まで押し切っても、角部５０が当り面５１を押し続けるため、前記弁も開き続ける。したがって、操作伝達部３８に操作力を与え続けると、図１（ａ）に示す容器本体１の内圧を図１（ｃ）に示すように大気圧まで減圧することができる。これにより、図１（ａ）のフック１３を除いた蓋３部分は、図１（ｃ）に示すように角部５０に操作レバー１２が押されることで下降させられ、支持ばね４１やフック復帰ばね１５の弾性回復が起きて、フック１３は、係合端４８が静止段状部４９に引っ掛からない状態に戻る。使用者が図１（ｃ）の状態で一旦ロック解除操作を止めると、操作伝達部３８が付勢ばね４０で図８（ａ）の位置へ復帰させられる。この後、使用者が再びロック解除操作を行えば、今度は係合端４８が静止段状部４９に引っ掛からないので、フック部３６がフック受部３７から外れ、蓋３を引き抜くことが可能になる。なお、連通路４７の前記弁よりも大気側に付着していた内容物は、大気に熱を奪われて冷めているので、減圧中に飛び出しても危険性はない。断熱容器４の内壁面に付着している内容物は、連通路４７に入り込んだとしても、連通路４７は大気に出るまでに複雑に曲がっているので、連通路４７の壁面で捕捉でき、減圧中に連通路４７から飛び出す心配はない。
【００３６】
上述のように、この密閉容器は、容器本体１に対して蓋３を直線的な動きで着脱可能でありながら、フック１３とフック受部３７で蓋３が容器本体１の内圧で外れないようにすることができ、このようにしても、内圧が高い危険な状態では蓋３のロック解除を阻止し、急な蓋３の押し出しや内容物の飛び出しを防ぐことができる。また、この密閉容器は、図２に示す連通路４７及び前記弁が内圧逃し用と、内容物注ぎ用を兼ねているので、蓋３の構造複雑化を防止することができる。また、この密閉容器は、連動機構を図１（ａ）、（ｂ）に示すように蓋３のロックに必要なフック１３と、内容物を注ぐのに必要な操作レバー１２とで構成しているので、変換専用の他部材を蓋３に組み込むことがなく、これによっても蓋３の構造複雑化を防止することができる。
【００３７】
この発明の第２実施形態を図９に基いて説明する。なお、以下、第１実施形態との相違点を説明するに留める。第２実施形態では、図９（ａ）に示すように、フック部３６がフック受部３７に引っ掛かる状態で容器本体１の内圧上昇が大気圧を超えて進行すると、フック１３を除いた蓋２部分の上端面５２とフック部３６が接触することによって蓋３部分の上昇が阻止される。静止段状部４９は、上端面５２から低くなった凹所の内側に位置している。係合端４８は、上端面５２との接触面から高く繋がっている。このため、容器本体１の内圧が大気圧を一定以上超えているとき、フック部３６がロック解除動作する方向にずれることによって、図９（ｂ）に示すように、係合端４８が凹所内に入り込み、これに伴って内圧に押される蓋３部分の急な上昇が起こり、静止段状部４９が係合端４８に進退方向に対向する。したがって、トップカバー９は、図９（ａ）に示すように、容器本体１の内圧が上昇しても、肩カバー部材５から浮き上がらず、内圧上昇中の密閉容器使用状態の見栄えが悪化しない。
【００３８】
上述の実施形態では、弁軸と弁体が独立した例を示したが、弁軸と弁体が一体になっているものでもよい。内容物流路用の弁と減圧用の弁の兼用例を示したが、減圧用の弁を別途に設けてもよい。例えば、特許文献１のように弁軸の中に減圧用の弁の弁軸や圧力逃し路を通し、フックで内容物流路用の弁軸又は操作レバーを押す前に、減圧用の弁軸を押し、その後、内容物流路用の弁軸又は操作レバーを押すようにすることができる。また、この実施形態ではフックが操作レバーを介して弁軸を押すようにしたが、兼用例にする場合、フックが直接に弁軸を押すようにすることもできる。例えば、操作レバー１２の揺動軸の高さをより上に設定できる場合、弁軸１７をさらに上方へ延長し、当り面５１で押す角部５０相当箇所を弁軸１７に設ければ、フック１３が直接に弁軸１７を押すようにすることができる。この発明の技術的範囲は、上述の態様に限定されず、特許請求の範囲の記載に基く技術的思想の範囲内での全ての変更を含むものである。
【符号の説明】
【００３９】
１  容器本体
２  口部
３  蓋
４  断熱容器
６  注ぎ口
１１  流路
１２  操作レバー
１３  フック
１５  フック復帰ばね
１７  弁軸
１８  弁軸ガイド
１９  弁体
２０  弁座
２７  フックガイド部
３１  プッシュ面
３２  ラック部
３６  フック部
３７  フック受部
３８  操作伝達部
３９  操作部材
４０  付勢ばね
４１  支持ばね
４２  揺動軸
４３  軸受部
４７  連通路
４８  係合端
４９  静止段状部
５０  角部
５１  当り面
５２  上端面
【図１】
2014097830.tif 000003
【図２】
2014097830.tif 000004
【図３】
2014097830.tif 000005
【図４】
2014097830.tif 000006
【図５】
2014097830.tif 000007
【図６】
2014097830.tif 000008
【図７】
2014097830.tif 000009
【図８】
2014097830.tif 000010
【図９】
2014097830.tif 000011